(57)【要約】      （修正有）【課題】ユーザが意識できていない感謝を伝える対象となる行動を、ユーザに意識付けることができるシステムを提供する。【解決手段】感謝伝達システムは、記憶部、入力部、表示部、送受信部、分類部、および統計部を有する。記憶部は、感謝の種類、対象行動カテゴリーおよびユーザデータを記憶する。表示部は、複数のユーザ、感謝の種類、送受信データ、および統計データを表示する。入力部は、表示された複数のユーザから特定のユーザを、表示された感謝の種類から特定の種類を、それぞれ紐づけて入力し、感謝の理由を入力する。分類部は、入力された感謝の理由を対象行動カテゴリーに分類する。統計部は、分類された分類データを統計データとして算出する。送受信部は、入力した特定のユーザの端末に、入力された特定の感謝の種類を示す感謝データを送信し、他のユーザから送信された、入力された特定の感謝の種類を示す感謝データを受信する。【選択図】図１
2019053624.tif 000002
【特許請求の範囲】
【請求項１】
記憶部、表示部、入力部、および送受信部を有し、
前記記憶部は、
感謝の種類、および複数のユーザのユーザデータを記憶し、
前記ユーザデータは、ユーザの端末データを含み、
前記表示部は、
前記複数のユーザ、感謝の種類、および送受信データを表示し、
前記入力部は、
前記表示された複数のユーザから特定のユーザを、
前記表示された感謝の種類から特定の種類を、それぞれ紐づけて入力し、
前記送受信部は、
前記入力された特定のユーザの端末に、前記記憶された端末データに基づいて、前記入力された特定の感謝の種類を含む感謝データを送信し、
他のユーザから送信された、前記入力された特定の感謝の種類を含む感謝データを受信し；
さらに、分類部および統計部を有し、
前記記憶部は、さらに、
感謝の対象行動カテゴリーを記憶し、
前記入力部による入力データ、前記分類部による分類データ、および前記統計部における統計データを、前記感謝データを送信したユーザのユーザデータおよび前記感謝データを受信したユーザのユーザデータに紐づけて記憶し、
前記入力部は、
さらに、前記特定のユーザに対する前記特定の種類の感謝に紐づけて、感謝の理由を入力し、
前記分類部は、
前記入力された感謝の理由を、前記対象行動カテゴリーに分類し、
前記統計部は、
前記対象行動カテゴリーに分類された分類データから、前記対象行動カテゴリーの統計データを算出し、
前記表示部は、
さらに、前記統計データを表示する
ことを特徴とする感謝伝達システム。
【請求項２】
前記表示部は、前記統計データとして、前記感謝の理由を入力した特定のユーザによる対象行動カテゴリーの使用頻度を、表示する、請求項１記載の感謝伝達システム。
【請求項３】
前記表示部は、前記統計データとして、
前記感謝の理由を入力したユーザによる使用頻度が低い対象行動カテゴリーと、使用頻度が低いことを喚起するメッセージとを、紐づけて表示する、または、
前記感謝の理由を入力したユーザによる使用頻度が高い対象行動カテゴリーと、使用頻度が高いことを評価するメッセージとを、紐づけて表示する、請求項１または２記載の感謝伝達システム。
【請求項４】
前記表示部は、前記統計データとして、前記感謝の理由を入力した複数のユーザによる対象行動カテゴリーの使用頻度を、表示する、請求項１から３のいずれか一項に記載の感謝伝達システム。
【請求項５】
前記表示部は、前記統計データとして、
前記感謝の理由を入力した複数のユーザによる使用頻度が低い対象行動カテゴリーと、使用頻度が低いことを喚起するメッセージとを、紐づけて表示する、または、
前記感謝の理由を入力した複数のユーザによる使用頻度が高い対象行動カテゴリーと、使用頻度が高いことを評価するメッセージとを、紐づけて表示する、請求項１から４のいずれか一項に記載の感謝伝達システム。
【請求項６】
前記感謝データが、さらに、前記入力された感謝の理由を含む、
請求項１から５のいずれか一項に記載の感謝伝達システム。
【請求項７】
前記記憶部は、さらに、感謝の程度を記憶し、
前記表示部は、さらに、前記記憶された感謝の程度を表示し、
前記入力部は、さらに、前記表示された感謝の程度から特定の程度を入力し、
前記送受信部は、送受信する前記感謝データが、さらに、前記入力された特定の感謝の程度を含む、請求項１から６のいずれか一項に記載の感謝伝達システム。
【請求項８】
前記表示部は、前記統計データとして、さらに、
前記感謝データを受信したユーザのユーザデータに紐づけられた、前記受信した感謝データに関する前記対象行動カテゴリーの統計データを、表示する、請求項１から７のいずれか一項に記載の感謝伝達システム。
【請求項９】
前記表示部は、前記統計データとして、
前記感謝データを受信したユーザに対する使用頻度が低い対象行動カテゴリーと、使用頻度が低いことを喚起するメッセージとを、紐づけて表示する、または、
前記感謝データを受信したユーザに対する使用頻度が高い対象行動カテゴリーと、使用頻度が高いことを評価するメッセージとを、紐づけて表示する、請求項８記載の感謝伝達システム。
【請求項１０】
複数のユーザ端末を含み、
前記複数のユーザ端末が、通信回線網を介して、接続可能であり、
前記各ユーザ端末が、前記記憶部、前記表示部、前記入力部、および前記送受信部を有する、請求項１から９のいずれか一項に記載の感謝伝達システム。
【請求項１１】
前記ユーザ端末が、さらに、前記分類部および前記統計部を有する、請求項１０記載の感謝伝達システム。
【請求項１２】
複数のユーザ端末と、サーバとを有し、
前記複数のユーザ端末が、通信回線網を介して、サーバと接続可能であり、
各端末が、前記表示部、前記入力部、および前記送受信部を有し、
前記サーバが、前記記憶部、前記分類部および前記統計部を有する、請求項１から１１のいずれか一項に記載の感謝伝達システム。
【請求項１３】
記憶工程、表示工程、入力工程、および送受信工程を有し、
前記記憶工程は、
感謝の種類、および複数のユーザのユーザデータを記憶し、
前記ユーザデータは、ユーザの端末データを含み、
前記表示工程は、
前記複数のユーザ、感謝の種類、および送受信データを表示し、
前記入力工程は、
前記表示された複数のユーザから特定のユーザを、
前記表示された感謝の種類から特定の種類を、それぞれ紐づけて入力し、
前記送受信工程は、
前記入力された特定のユーザの端末に、前記記憶された端末データに基づいて、前記入力された特定の感謝の種類を含む感謝データを送信し、
他のユーザから送信された、前記入力された特定の感謝の種類を含む感謝データを受信し；
さらに、分類工程および統計工程を有し、
前記記憶工程は、さらに、
感謝の対象行動カテゴリーを記憶し、
前記入力工程による入力データ、前記分類工程による分類データ、および前記統計工程における統計データを、前記感謝データを送信したユーザのユーザデータおよび前記感謝データを受信したユーザのユーザデータに紐づけて記憶し、
前記入力工程は、
さらに、前記特定のユーザに対する前記特定の種類の感謝に紐づけて、感謝の理由を入力し、
前記分類工程は、
前記入力された感謝の理由を、前記対象行動カテゴリーに分類し、
前記統計工程は、
前記対象行動カテゴリーに分類された分類データから、前記対象行動カテゴリーの統計データを算出し、
前記表示工程は、
さらに、前記統計データを表示する
ことを特徴とすることを特徴とする感謝伝達方法。
【請求項１４】
前記表示工程は、前記統計データとして、前記感謝の理由を入力した特定のユーザによる対象行動カテゴリーの使用頻度を、表示する、請求項１３記載の感謝伝達方法。
【請求項１５】
前記表示工程は、前記統計データとして、
前記感謝の理由を入力したユーザによる使用頻度が低い対象行動カテゴリーと、使用頻度が低いことを喚起するメッセージとを、紐づけて表示する、または、
前記感謝の理由を入力したユーザによる使用頻度が高い対象行動カテゴリーと、使用頻度が高いことを評価するメッセージとを、紐づけて表示する、請求項１３または１４記載の感謝伝達方法。
【請求項１６】
前記表示工程は、前記統計データとして、前記感謝の理由を入力した複数のユーザによる対象行動カテゴリーの使用頻度を、表示する、請求項１３から１５のいずれか一項に記載の感謝伝達方法。
【請求項１７】
前記表示工程は、前記統計データとして、
前記感謝の理由を入力した複数のユーザによる使用頻度が低い対象行動カテゴリーと、使用頻度が低いことを喚起するメッセージとを、紐づけて表示する、または、
前記感謝の理由を入力した複数のユーザによる使用頻度が高い対象行動カテゴリーと、使用頻度が高いことを評価するメッセージとを、紐づけて表示する請求項１３から１６のいずれか一項に記載の感謝伝達方法。
【請求項１８】
前記感謝データが、さらに、前記入力された感謝の理由を含む、
請求項１３から１７のいずれか一項に記載の感謝伝達方法。
【請求項１９】
前記記憶工程は、さらに、感謝の程度を記憶し、
前記表示工程は、さらに、前記記憶された感謝の程度を表示し、
前記入力工程は、さらに、前記表示された感謝の程度から特定の程度を入力し、
前記送受信工程は、送受信する前記感謝データが、さらに、前記入力された特定の感謝の程度を含む、請求項１３から１８のいずれか一項に記載の感謝伝達方法。
【請求項２０】
前記表示工程は、前記統計データとして、さらに、
前記感謝データを受信したユーザのユーザデータに紐づけられた、前記受信した感謝データに関する前記対象行動カテゴリーの統計データを、表示する、請求項１３から１９のいずれか一項に記載の感謝伝達方法。
【請求項２１】
前記表示工程は、前記統計データとして、
前記感謝データを受信したユーザに対する使用頻度が低い対象行動カテゴリーと、使用頻度が低いことを喚起するメッセージとを、紐づけて表示する、または、
前記感謝データを受信したユーザに対する使用頻度が高い対象行動カテゴリーと、使用頻度が高いことを評価するメッセージとを、紐づけて表示する、請求項２０記載の感謝伝達方法。
【請求項２２】
複数のユーザの端末が、通信回線網を介して、接続された状態であり、
各端末が、前記記憶工程、前記表示工程、前記入力工程、および前記送受信工程を実行する、請求項１３から２１のいずれか一項に記載の感謝伝達方法。
【請求項２３】
前記端末が、さらに、前記分類工程および前記統計工程を実行する、請求項２２記載の感謝伝達方法。
【請求項２４】
前記複数のユーザ端末が、通信回線網を介して、サーバと接続された状態であり、
各端末が、前記表示工程、前記入力工程、および前記送受信工程を実行し、
前記サーバが、前記記憶工程、前記分類工程および前記統計工程を実行する、請求項１３から２３記載の感謝伝達方法。
【請求項２５】
請求項１３から２４のいずれか一項に記載の感謝伝達方法をコンピュータに実行させることを特徴とするプログラム。
【請求項２６】
請求項２５記載のプログラムを記録したコンピュータ読み取り可能な記録媒体。
【発明の詳細な説明】
【技術分野】
【０００１】
本発明は、感謝伝達システム、感謝伝達方法、プログラム、および記録媒体に関する。
【背景技術】
【０００２】
一般的に、日本人は、相手に対する感謝を、直接相手に伝えることが苦手と言われている。一方、会社等の組織において、相手に感謝を伝えることが、パフォーマンスに良い影響を与えることも報告されている。
【０００３】
例えば、特許文献１には、コンピュータネットワークを通じて、組織の構成員間の信頼を形成するシステムが提案されている。
【先行技術文献】
【特許文献】
【０００４】
【特許文献１】特開２００６−４０２５３号公報
【発明の概要】
【発明が解決しようとする課題】
【０００５】
複数の構成員で形成される組織においては、構成員の相互において、より容易に感謝の気持ちを相手に伝えることで、組織全体のモチベーションを高めるシステムの構築が重要である。そこで、本発明者らは、ユーザが、各自の端末を用いて、他のユーザに対して、ありがとう等の感謝の種類と、強さを示す感謝の程度とを含む感謝データを送信し、前記他のユーザが前記感謝データを受信できるというシステムを構築した。これによって、例えば、直接は言い難い感謝を相手に伝えることが可能となり、これによって組織全体のモチベーションを高めることが可能になる。
【０００６】
しかし、どのような行動に対して感謝するかということは、個人個人でその基準が異なる。このため、例えば、ある行動に対して、ある人は、感謝を感じてそれを伝えるが、ある人は、感謝を伝える行動と認識せず、相手に感謝を伝えることができない場合がある。
【０００７】
そこで、本発明は、ユーザが意識できていない感謝を伝える対象となる行動を、前記ユーザに意識付けることができるシステムの提供を目的とする。
【課題を解決するための手段】
【０００８】
前記目的を達成するために、本発明の感謝伝達システムは、
記憶部、表示部、入力部、および送受信部を有し、
前記記憶部は、
感謝の種類、および複数のユーザのユーザデータを記憶し、
前記ユーザデータは、ユーザの端末データを含み、
前記表示部は、
前記複数のユーザ、感謝の種類、および送受信データを表示し、
前記入力部は、
前記表示された複数のユーザから特定のユーザを、
前記表示された感謝の種類から特定の種類を、それぞれ紐づけて入力し、
前記送受信部は、
前記入力された特定のユーザの端末に、前記記憶された端末データに基づいて、前記入力された特定の感謝の種類を含む感謝データを送信し、
他のユーザから送信された、前記入力された特定の感謝の種類を含む感謝データを受信し；
さらに、分類部および統計部を有し、
前記記憶部は、さらに、
感謝の対象行動カテゴリーを記憶し、
前記入力部による入力データ、前記分類部による分類データ、および前記統計部における統計データを、前記感謝データを送信したユーザのユーザデータおよび前記感謝データを受信したユーザのユーザデータに紐づけて記憶し、
前記入力部は、
さらに、前記特定のユーザに対する前記特定の種類の感謝に紐づけて、感謝の理由を入力し、
前記分類部は、
前記入力された感謝の理由を、前記対象行動カテゴリーに分類し、
前記統計部は、
前記対象行動カテゴリーに分類された分類データから、前記対象行動カテゴリーの統計データを算出し、
前記表示部は、
さらに、前記統計データを表示する
ことを特徴とする。
【０００９】
本発明の感謝伝達方法は、
記憶工程、表示工程、入力工程、および送受信工程を有し、
前記記憶工程は、
感謝の種類、および複数のユーザのユーザデータを記憶し、
前記ユーザデータは、ユーザの端末データを含み、
前記表示工程は、
前記複数のユーザ、感謝の種類、および送受信データを表示し、
前記入力工程は、
前記表示された複数のユーザから特定のユーザを、
前記表示された感謝の種類から特定の種類を、それぞれ紐づけて入力し、
前記送受信工程は、
前記入力された特定のユーザの端末に、前記記憶された端末データに基づいて、前記入力された特定の感謝の種類を含む感謝データを送信し、
他のユーザから送信された、前記入力された特定の感謝の種類を含む感謝データを受信し；
さらに、分類工程および統計工程を有し、
前記記憶工程は、さらに、
感謝の対象行動カテゴリーを記憶し、
前記入力工程による入力データ、前記分類工程による分類データ、および前記統計工程における統計データを、前記感謝データを送信したユーザのユーザデータおよび前記感謝データを受信したユーザのユーザデータに紐づけて記憶し、
前記入力工程は、
さらに、前記特定のユーザに対する前記特定の種類の感謝に紐づけて、感謝の理由を入力し、
前記分類工程は、
前記入力された感謝の理由を、前記対象行動カテゴリーに分類し、
前記統計工程は、
前記対象行動カテゴリーに分類された分類データから、前記対象行動カテゴリーの統計データを算出し、
前記表示工程は、
さらに、前記統計データを表示する
ことを特徴とする。
【００１０】
本発明のプログラムは、前記本発明の感謝伝達方法をコンピュータに実行させることを特徴とする。
【００１１】
本発明の記録媒体は、前記本発明のプログラムを記録したコンピュータ読み取り可能である。
【発明の効果】
【００１２】
本発明によれば、ユーザが意識できていない感謝の対象となる行動を、ユーザに意識付けることができる。本発明のシステムを使用すると、例えば、ユーザが認識する感謝の対象となる行動の種類が増え、より様々な行動に対し感謝を伝えることができるようになる。このため、本発明は、例えば、会社等の組織で利用することにより、組織の構成員であるユーザが、その他の構成員に対して感謝を伝える機会が増え、それにより、お互いの信頼性を高め、個々と組織のモチベーションの向上、ひいては組織全体のパフォーマンスの向上に役立てることができる。
【図面の簡単な説明】
【００１３】
【図１】図１は、実施形態１の感謝伝達システムの一例を示すブロック図である。
【図２】図２は、実施形態１の感謝伝達システムのその他の例を示す概略図である。
【図３】図３は、実施形態１の感謝伝達システムのその他の例を示すブロック図である。
【図４】図４は、実施形態１の感謝伝達方法の一例を示すフローチャートである。
【図５】図５は、実施形態１において、端末の表示部の一例を示す概略図である。
【図６】図６は、実施形態１において、端末の表示部の一例を示す概略図である。
【図７】図７は、実施形態１において、端末の表示部の一例を示す概略図である。
【図８】図８は、実施形態１において、端末の表示部の一例を示す概略図である。
【図９】図９は、実施形態１において、端末の表示部の一例を示す概略図である。
【図１０】図１０は、実施形態１において、端末の表示部の一例を示す概略図である。
【図１１】図１１は、実施形態１において、端末の表示部の一例を示す概略図である。
【図１２】図１２は、実施形態２において、端末の表示部の一例を示す概略図である。
【発明を実施するための形態】
【００１４】
本発明の感謝伝達システムにおいて、例えば、前記表示部は、前記統計データとして、前記感謝の理由を入力した特定のユーザによる対象行動カテゴリーの使用頻度を、表示する。
【００１５】
本発明の感謝伝達システムにおいて、例えば、前記表示部は、前記統計データとして、前記感謝の理由を入力したユーザによる使用頻度が低い対象行動カテゴリーと、使用頻度が低いことを喚起するメッセージとを、紐づけて表示する、または、前記感謝の理由を入力したユーザによる使用頻度が高い対象行動カテゴリーと、使用頻度が高いことを評価するメッセージとを、紐づけて表示する。
【００１６】
本発明の感謝伝達システムにおいて、例えば、前記表示部は、前記統計データとして、前記感謝の理由を入力した複数のユーザによる対象行動カテゴリーの使用頻度を、表示する。
【００１７】
本発明の感謝伝達システムにおいて、例えば、前記表示部は、前記統計データとして、前記感謝の理由を入力した複数のユーザによる使用頻度が低い対象行動カテゴリーと、使用頻度が低いことを喚起するメッセージとを、紐づけて表示する、または、前記感謝の理由を入力した複数のユーザによる使用頻度が高い対象行動カテゴリーと、使用頻度が高いことを評価するメッセージとを、紐づけて表示する。
【００１８】
本発明の感謝伝達システムにおいて、例えば、前記感謝データが、さらに、入力された感謝の理由を含む。
【００１９】
本発明の感謝伝達システムにおいて、例えば、前記記憶部は、さらに、感謝の程度を記憶し、前記表示部は、さらに、前記記憶された感謝の程度を表示し、前記入力部は、さらに、前記表示された感謝の程度から特定の程度を入力し、前記送受信部は、送受信する前記感謝データが、さらに、前記入力された特定の感謝の程度を含む。
【００２０】
本発明の感謝伝達システムにおいて、例えば、前記表示部は、前記統計データとして、さらに、前記感謝データを受信したユーザのユーザデータに紐づけられた、前記受信した感謝データに関する前記対象行動カテゴリーの統計データを、表示する。
【００２１】
本発明の感謝伝達システムにおいて、例えば、前記表示部は、前記統計データとして、前記感謝データを受信したユーザに対する使用頻度が低い対象行動カテゴリーと、使用頻度が低いことを喚起するメッセージとを、紐づけて表示する、または、前記感謝データを受信したユーザに対する使用頻度が高い対象行動カテゴリーと、使用頻度が高いことを評価するメッセージとを、紐づけて表示する。
【００２２】
本発明の感謝伝達システムにおいて、例えば、複数のユーザの端末が、通信回線網を介して、接続された状態であり、各端末が、前記記憶部、前記表示部、前記入力部、および前記送受信部を有する。
【００２３】
本発明の感謝伝達システムは、例えば、前記端末が、さらに、前記分類部および前記統計部を有する。
【００２４】
本発明の感謝伝達システムにおいて、例えば、前記複数のユーザ端末が、通信回線網を介して、サーバと接続された状態であり、各端末が、前記表示部、前記入力部、および前記送受信部を有し、前記サーバが、前記記憶部、前記分類部および前記統計部を有する。
【００２５】
本発明の感謝伝達方法において、例えば、前記表示工程は、前記統計データとして、前記感謝の理由を入力した特定のユーザによる対象行動カテゴリーの使用頻度を、表示する。
【００２６】
本発明の感謝伝達方法において、例えば、前記表示工程は、前記統計データとして、前記感謝の理由を入力したユーザによる使用頻度が低い対象行動カテゴリーと、使用頻度が低いことを喚起するメッセージとを、紐づけて表示する、または、前記感謝の理由を入力したユーザによる使用頻度が高い対象行動カテゴリーと、使用頻度が高いことを評価するメッセージとを、紐づけて表示する。
【００２７】
本発明の感謝伝達方法において、例えば、前記表示工程は、前記統計データとして、前記感謝の理由を入力した複数のユーザによる対象行動カテゴリーの使用頻度を、表示する。
【００２８】
本発明の感謝伝達方法において、例えば、前記表示工程は、前記統計データとして、前記感謝の理由を入力した複数のユーザによる使用頻度が低い対象行動カテゴリーと、使用頻度が低いことを喚起するメッセージとを、紐づけて表示する、または、前記感謝の理由を入力した複数のユーザによる使用頻度が高い対象行動カテゴリーと、使用頻度が高いことを評価するメッセージとを、紐づけて表示する。
【００２９】
本発明の感謝伝達方法において、例えば、前記感謝データが、さらに、前記入力された感謝の理由を含む。
【００３０】
本発明の感謝伝達方法において、例えば、前記記憶工程は、さらに、感謝の程度を記憶し、
前記表示工程は、さらに、前記記憶された感謝の程度を表示し、
前記入力工程は、さらに、前記表示された感謝の程度から特定の程度を入力し、
前記送受信工程は、送受信する前記感謝データが、さらに、前記入力された特定の感謝の程度を含む。
【００３１】
本発明の感謝伝達方法において、例えば、前記表示工程は、前記統計データとして、さらに、前記感謝データを受信したユーザのユーザデータに紐づけられた、前記受信した感謝データに関する前記対象行動カテゴリーの統計データを、表示する。
【００３２】
本発明の感謝伝達方法において、例えば、前記表示工程は、前記統計データとして、前記感謝データを受信したユーザに対する使用頻度が低い対象行動カテゴリーと、使用頻度が低いことを喚起するメッセージとを、紐づけて表示する、または、前記感謝データを受信したユーザに対する使用頻度が高い対象行動カテゴリーと、使用頻度が高いことを評価するメッセージとを、紐づけて表示する。
【００３３】
本発明の感謝伝達方法において、例えば、複数のユーザの端末が、通信回線網を介して、接続された状態であり、
各端末が、前記記憶工程、前記表示工程、前記入力工程、および前記送受信工程を実行する。
【００３４】
本発明の感謝伝達方法は、例えば、前記端末が、さらに、前記分類工程および前記統計工程を実行する。
【００３５】
本発明の感謝伝達方法において、例えば、前記複数のユーザ端末が、通信回線網を介して、サーバと接続された状態であり、各端末が、前記表示工程、前記入力工程、および前記送受信工程を実行し、前記サーバが、前記記憶工程、前記分類工程および前記統計工程を実行する。
【００３６】
つぎに、本発明の実施形態について説明する。なお、本発明は、以下の実施形態には限定されない。なお、以下の各図において、同一部分には、同一符号を付している。また、各実施形態の説明は、特に言及がない限り、互いの説明を援用できる。さらに、各実施形態の構成は、特に言及がない限り、組合せ可能である。
【００３７】
［実施形態１］
図１は、本実施形態の感謝伝達システム１０の一例の構成を示すブロック図である。感謝伝達システム１０は、記憶部１１、表示部１２、入力部１３、送受信部１４、分類部１５、および統計部１６を有する。
【００３８】
感謝伝達システム１０は、例えば、図２に示すように、複数のユーザ端末１０１を有する形態でもよい。この場合、ユーザが、それぞれ、端末１０１を有し、各端末１０１が、通信回線網２０を介して、相互に接続可能である。前記端末は、例えば、携帯電話、スマートフォン、タブレット、ＰＣ等があげられる。通信回線網２０は、特に制限されず、公知のネットワークを使用でき、例えば、有線でも無線でもよい。通信回線網２０は、例えば、インターネット回線、電話回線、ＬＡＮ（Ｌｏｃａｌ  Ａｒｅａ  Ｎｅｔｗｏｒｋ）等があげられる。感謝伝達システム１０は、感謝伝達装置ということもできる。
【００３９】
また、本実施形態の感謝伝達システムは、例えば、複数のユーザ端末とサーバとを有し、前記複数のユーザ端末が、通信回線網を介して、前記サーバと接続可能でもよい。この場合、ユーザが、それぞれ、前記端末を有し、各端末は、前記通信回線網を介して、前記サーバと接続可能であり、且つ、前記通信回線網を介して、相互に接続可能である。
【００４０】
図３に、感謝伝達システム１０の具体的な構成の一例を示す。図３は、感謝伝達システム１０のブロック図であり、記憶部１１は、ユーザ情報１１１、感謝の種類１１２、送信した感謝データ１１４、受信した感謝データ１１５、感謝対象行動カテゴリー１１６、入力データ１１７、分類データ１１８、および統計データ１１９が記憶されている。
【００４１】
まず、本実施形態の感謝伝達システム１０について、ユーザ間での感謝の伝達に関する基本構成について説明する。
【００４２】
記憶部１１は、複数のユーザデータを記憶する。前記ユーザデータは、ユーザの端末データを含み、さらに、ユーザを特定する特定データを含んでもよい。記憶部１１は、前記ユーザデータとして、例えば、ユーザを特定する特定データと前記端末データとを、関連付けて記憶する。前記ユーザを特定する特定データは、例えば、氏名、ニックネーム、写真画像、イラスト画像、所属等があげられる。前記端末データは、例えば、前記通信回線網を介してデータを送受信するためのアドレス等があげられる。記憶部１１に記憶するユーザデータの数は、特に制限されない。前記ユーザデータは、例えば、ユーザが、伝達システム１０のユーザとして登録する際に、入力し、記憶させることができる。
【００４３】
記憶部１１は、さらに、感謝の種類を記憶する。前記感謝の種類は、例えば、予め記憶部１１に記憶されていることが好ましい。前記感謝の種類は、例えば、「ありがとう」、「ありがとうございます」、「Ｇｏｏｄ」、「感動です」、「どうも」、「すいません」、「称賛」、「尊敬」、「嬉しい」等である。前記感謝の種類は、例えば、言葉として記憶されてもよいし、前記言葉を表すイラスト画像として記憶されてもよいし、前記言葉と前記イラスト画像とが紐づけて記憶されてもよい。
【００４４】
記憶部１１は、任意で、感謝の程度を記憶してもよい。この場合、前記感謝の程度は、例えば、予め記憶部１１に記憶されていることが好ましい。前記感謝の程度は、例えば、感謝の強度であり、具体例として複数段階の強度等があげられる。
【００４５】
表示部１２は、複数のユーザの前記ユーザデータ、複数の感謝の種類、および送受信データを表示する。表示部１２は、例えば、さらに、感謝の程度を表示してもよい。表示部１２は、例えば、端末１０１の画像表示部等があげられる。表示部１２は、例えば、必要に応じて、これらのデータのうち、１つずつを順次表示してもよいし、２つ以上を同時に表示してもよい。表示部１２は、例えば、前記複数のユーザを表示し、表示された複数のユーザのうち前記特定のユーザが入力されると、前記複数の感謝の種類を表示し、前記特定の感謝の種類が入力されると、任意で、感謝の程度を表示することができる。
【００４６】
表示部１２は、例えば、前記感謝の種類として、前述のような複数の感謝の種類を表す画像を表示し、任意で、前記感謝の程度として、感謝の程度を表す画像を表示する。
【００４７】
入力部１３は、表示された複数のユーザから特定のユーザを入力し、表示された感謝の種類から特定の種類を入力し、任意で、さらに、表示された感謝の程度から特定の程度を入力する。前記特定のユーザ、前記特定の種類、および任意で前記特定の程度は、例えば、それぞれ紐づけて入力される。
【００４８】
送受信部１４は、入力した特定のユーザの端末に、前記記憶された端末データに基づいて、入力された特定の感謝の種類を含む感謝データを送信し、また、他のユーザから送信された、入力された特定の感謝の種類を含む感謝データを受信する。つまり、特定のユーザは、自身の端末１０１から、他のユーザの端末１０１に対して、感謝データを送信し、他のユーザの端末１０１から前記特定のユーザ自身に送信された感謝データを、自身の端末１０１で受信できる。前記感謝データは、例えば、さらに、任意で前記感謝の程度を含んでもよい。
【００４９】
感謝伝達システム１０は、これらの構成によって、ユーザ間において感謝の伝達を行うことができる。そして、感謝伝達システム１０は、さらに、ユーザに対して、意識できていない感謝を伝える対象となる行動を意識付けするための構成を有する。これらについて、以下に説明する。
【００５０】
感謝伝達システム１０において、前述した記憶部１１は、さらに、感謝の対象カテゴリーを記憶する。前記感謝対象行動カテゴリーとは、感謝を伝える対象となる行動のカテゴリーである。前記感謝対象行動カテゴリーの数および内容は、特に制限されず、任意に設定できる。前記感謝対象行動カテゴリーは、特に制限されず、例えば、「手伝ってくれた」、「励ましてくれた」、「褒めてくれた」、「お礼を言ってくれた」、「代わりにしてくれた」、「プレゼントしてくれた」、「祝ってくれた」等があげられる。
【００５１】
記憶部１１は、さらに、入力部１３による入力データ、分類部１５による分類データ、および統計部１６による統計データを記憶する。前記感謝データは、感謝を送る側のデータでもあり、感謝が送られる側のデータでもあるため、前記入力データ、前記分類データ、および前記統計データは、前記感謝データを送信したユーザのユーザデータおよび前記感謝データを受信したユーザのユーザデータに紐づけて記憶する。これらのデータは、例えば、感謝伝達システム１０の使用において、後述するように、入力部１３、分類部１５および統計部１６において、入力、分類および統計が行われた際、記憶部１１に記憶される。
【００５２】
前述した入力部１３は、さらに、前記特定のユーザに対する前記特定の種類の感謝に紐づけて、感謝の理由を入力する。前記感謝の理由は、特に制限されず、例えば、特定のユーザに対して感じた感謝の対象となる行動である。前記感謝の理由は、例えば、前述した、特定のユーザの入力および特定の感謝の種類の入力を行う際に、入力できる。この場合、表示部１２は、例えば、さらに、感謝の理由を入力するためのコメント欄を表示してもよい。前記コメント欄は、例えば、モーダルウインドウであってもよい。この場合、表示部１２は、例えば、まず、感謝の理由の入力を行うか否かのメッセージを表示し、「理由の入力」を選択した場合に、コメント欄を表示してもよい。
【００５３】
なお、前記特定のユーザ、前記特定の種類および前記感謝の理由は、紐づけて入力されるが、これらの入力順序は、何ら制限されない。
【００５４】
感謝伝達システム１０は、さらに、分類部１５および統計部１６を有する。分類部１５は、前記入力された感謝の理由を、記憶部１１に記憶された、前記感謝対象行動カテゴリーに分類する。前記入力された感謝の理由を、前記感謝対象行動カテゴリーに分類する手法は、特に制限されず、例えば、一般的な文章解析プログラム等によって行うことができる。具体例としては、例えば、以下のような方法がある。まず、自然言語処理により、前記感謝の理由（メッセージ）を単語に分割し、前記感謝対象行動カテゴリー毎に記憶させておいた単語辞書データと比較する。そして、一致する単語があった場合、その行動カテゴリーと分類する。なお、これは一例であって、本発明は、何ら制限されない。
【００５５】
統計部１６は、前記対象行動カテゴリーに分類された分類データから、前記感謝対象行動カテゴリーの統計データを算出する。前記統計データは、例えば、前記入力された感謝理由に関する、前記感謝対象カテゴリーの使用頻度、つまり、複数の前記感謝対象カテゴリーのそれぞれについての使用頻度である。
【００５６】
前記統計データは、例えば、あるユーザが、特定のユーザに対して入力した感謝の理由に関する統計データでもよいし、あるユーザが、複数のユーザに対して入力した感謝の理由に関する統計データでもよい。この場合、例えば、あるユーザが、どのような行動を感謝対象行動として意識でき、どのような行動が感謝対象行動として意識できていないかを、前記統計データとして表すことができる。また、前記統計データは、例えば、複数のユーザにより構成されるグループが、前記グループ内の他のユーザに対して入力した感謝の理由に関する統計データでもよい。この場合、例えば、前記グループが全体として、どのような行動を感謝対象行動として意識でき、どのような行動が感謝対象行動として意識できていないかを、前記統計データとして表すことができる。
【００５７】
前述した表示部１２は、さらに、前記統計データを表示する。表示部１２は、例えば、前述のように、特定のユーザによる対象行動カテゴリーの使用頻度を表示してもよいし、複数のユーザ（例えば、前記グループ）による対象行動カテゴリーの使用頻度を表示してもよいし、両方を表示してもよい。また、表示部１２は、例えば、前記統計データとして、前記対象行動カテゴリーのうち使用頻度の低い対象カテゴリーとともに、使用頻度が低いことを喚起するメッセージとを、紐づけて表示してもよいし、前記対象行動カテゴリーのうち使用頻度の高い対象カテゴリーとともに、使用頻度が高いことを評価するメッセージとを、紐づけて表示してもよいし、両方を表示してもよい。このように、特定のユーザに対して、前記特定のユーザの使用頻度を表示することで、例えば、前記特定のユーザに、意識できている対象行動カテゴリー、および意識できていない対象行動カテゴリーを、気づかせることができる。また、特定のユーザに対して、前記グループの使用頻度を表示することで、例えば、前記グループ全体が意識できている対象行動カテゴリー、前記グループ全体が意識できていない対象行動カテゴリー、および前記グループ全体は意識できているが前記特定のユーザが意識できていない対象行動カテゴリーを、気づかせることができる。後者の場合、具体的には、前記特定のユーザに対して、前記特定のユーザの使用頻度の低い対象行動カテゴリーと、前記グループ全体の使用頻度の高い対象行動カテゴリーとを表示することで、例えば、前記特定のユーザにとって、意識できていない対象行動カテゴリーの効果的な気づきを誘導することができる。
【００５８】
つぎに、本実施形態の感謝伝達方法について、図４〜図１０を用いて説明する。図４は、前記感謝伝達方法のフローチャートであり、図５〜図１０は、感謝伝達システム１０の表示部１２の概略図である。図４のフローチャートでは、ユーザ間において感謝の伝達を行うためのステップを、（Ａ）工程として示し、ユーザに対して、意識できていない感謝を伝える対象となる行動を意識付けするためのステップを、（Ｂ）工程として示す。なお、前記（Ａ）工程と前記（Ｂ）工程は、例えば、別々に行われてもよいし、並行して行われてもよい。本実施形態において、感謝伝達システム１０は、スマートフォンとして例示する。本実施形態の感謝伝達方法は、例えば、図１〜図３に示す本実施形態の感謝伝達システム１０を用いて、次のように実施できる。なお、本実施形態の感謝伝達方法は、図１〜図３の感謝伝達システム１０の使用には限定されない。
【００５９】
（Ａ１）記憶工程
前記（Ａ１）記憶工程は、感謝の種類、および複数のユーザのユーザデータを記憶する工程である。前記記憶工程は、例えば、さらに、任意で、感謝の程度を記憶してもよい。前記複数のユーザは、例えば、さらに、メンバーを招待して共有するグループとして記憶することができる。また、前記複数ユーザのユーザデータは、例えば、アドレス帳として記憶してもよい。
【００６０】
（Ｂ１）記憶工程
前記（Ｂ１）記憶工程は、感謝の対象行動カテゴリーを記憶する工程である。
【００６１】
（Ａ２）ユーザデータの表示工程
前記（Ａ２）表示工程は、表示部１２に、記憶された前記複数のユーザを表示する工程であり、具体的には、表示部１２は、複数のユーザについて、ユーザ特定データとして、例えば、氏名、写真画像、イラスト画像等を表示する。具体的には、図５に示すように、感謝伝達システム１０の表示部１２に、ユーザ名と、写真画像またはイラスト画像等とを表示する。
【００６２】
（Ａ３）特定のユーザの入力工程
前記（Ａ３）入力工程は、表示部１２に表示された複数のユーザから、特定のユーザを入力する工程である。特定のユーザを入力すると、図６の左図に示すように、表示部１２には、例えば、感謝を送信する先として入力した特定のユーザ（Ｂさん）が表示される。
【００６３】
（Ａ４）複数の感謝の種類の表示工程
前記（Ａ４）表示工程は、表示部１２に、記憶された複数の感謝の種類を表示する工程である。具体的には、例えば、前記（Ａ３）入力工程において特定のユーザを入力すると、表示部１２に、例えば、入力した特定のユーザの他に、複数の感謝の種類が表示される。感謝の種類は、特に制限されず、例えば、「ありがとう」、「ありがとうございます」、「Ｇｏｏｄ」、「感動です」、「どうも」、「すいません」、「称賛」、「尊敬」、「嬉しい」等があげられる。感謝の種類は、例えば、感謝の種類を表現する画像として表示され、前記画像は、例えば、言葉のみでもよいし、感謝を表現するイラストのみでもよいし、言葉とイラストとの組み合わせでもよい。
【００６４】
表示部１２には、複数の感謝の種類を同時または順次表示することができる。後者の場合、例えば、表示部１２は、表示部１２に表示されている前記感謝の種類を示す任意の画像をスライドすることによって、表示部１２に、前記複数の感謝の種類を示す画像を順次表示できる。この際、例えば、表示部１２に表示されている任意の画像の他に、前記感謝の種類を示す画像が存在していることを表すために、表示部１２は、前記感謝の種類を示す任意の画像を表示するとともに、前記任意の画像の左右または上下等に、隣接する画像の一部を表示してもよい。具体的には、図６の左図に示すように、感謝伝達システム１０の表示部１２において、入力した特定のユーザ（Ｂさん）を表示し、さらに、感謝の種類として、相手の行動を評価する言葉である「Ｇｏｏｄ！」の文字と、それを表すイラストの画像が、下方向の中央部に表示される。この際、図６の左図に示すように、「Ｇｏｏｄ！」の画像の左右に、隣接する画像の一部が表示される。これによって、左右に他の画像が存在していることを、ユーザに認識させることができる。そして、「Ｇｏｏｄ！」の画像をスライドすることによって、例えば、図６の右図に示すように、「Ｇｏｏｄ！」の画像の右にある「ありがとう」の画像を、表示部１２の下方向の中央部に表示できる。
【００６５】
（Ａ５）特定の感謝の種類の入力工程
前記（Ａ５）入力工程は、表示部１２に表示された感謝の種類から、特定の感謝の種類を入力する。特定の感謝の種類を入力すると、図７に示すように、表示部１２には、例えば、入力した特定のユーザ（Ｂさん）と入力した感謝の種類（ありがとう）を示す画像とが表示される。
【００６６】
（Ａ６）複数の感謝の程度の表示工程
本実施形態の感謝伝達方法は、例えば、任意で、（Ａ６）複数の感謝の程度の表示工程を含んでもよい。前記表示工程は、複数の感謝の程度を表示する工程である。具体的には、例えば、前記（Ａ５）入力工程において特定の感謝の種類を入力すると、表示部１２には、例えば、入力した感謝の種類の他に、感謝の程度が表示される。前記感謝の程度は、例えば、感謝の程度を高さで表わすバー画像により表示することができる。具体的には、図７に示すように、感謝の種類（ありがとう）を示す画像の横に、感謝の程度を示す５段階のバーが表示される。前記バーは、例えば、下から上に上がるほど、感謝の程度が強くなることを意味する。
【００６７】
（Ａ７）特定の感謝の程度の入力工程
本実施形態の感謝伝達方法は、例えば、前記（Ａ６）表示工程を含む場合、さらに（Ａ７）入力工程を含む。前記入力工程は、表示部１２に表示された感謝の程度から、特定の感謝の程度を入力する。特定の感謝の程度を入力すると、図７に示すように、表示部１２には、例えば、感謝の程度を５段階で示すバーが示される。そして、例えば、図７の左図において、感謝の程度が３段階である場合、図７の右図に示すように、５段階までバーの色を黒にすることで、感謝の程度が５段階評価における５段階であることを示すことができる。
【００６８】
（Ｂ２）感謝の理由の入力工程
前記（Ｂ２）入力工程は、前記特定のユーザに対する感謝の理由を入力する工程である。具体的には、例えば、前記（Ａ７）入力工程において特定の感謝の程度を入力すると、例えば、図８の左図に示すように、表示部１２に、「理由を入力する」とのメッセージが表示され、これを選択した場合、図８の右図に示すように、コメント欄が表示され、前記コメント欄に、感謝の理由を入力する。前記感謝の理由は、特に制限されず、例えば、「困っていたら助けてくれた」、「電話をとってくれた」、「声をかけてくれた」等である。
【００６９】
（Ｂ３）感謝の理由の記憶工程
前記（Ｂ３）記憶工程は、感謝の理由が入力されると、これを記憶する。この際、表示部１２は、例えば、図８の右図にように、前記コメント欄の下に「保存」のメッセージが表示され、これを選択した場合、前記コメント欄のコメントが記憶されてもよい。また、表示部１２は、例えば、「保存」が選択された場合、図８の左図のように、特定のユーザ、感謝の種類、および感謝の程度が表示された画面に戻ってもよいし、特定のユーザ、感謝の表示、感謝の程度およびコメントが表示された画面に戻ってもよい。前記表示されるメッセージの種類は、何ら制限されず、例えば、「決定」等でもよい。
【００７０】
（Ａ８）送受信工程
前記（Ａ８）送受信工程は、入力を行う端末側から、入力した特定のユーザの端末に、入力した感謝データを送信し、前記特定のユーザの端末側は、前記他のユーザから送信された、入力された感謝データを受信する工程である。前記感謝データは、前記特定の感謝の種類を含み、さらに、任意で、前記特定の感謝の程度を含んでもよい。具体的には、図９（Ａ）〜（Ｃ）の順に示すように、表示部１２に示された、入力された特定のユーザ（Ｂさん）を示す画像に向かって、「ありがとう」の画像を、フリックやドラッグにより移動させる。これによって、特定のユーザであるＢさんに、感謝の種類が「ありがとう」であり、感謝の程度が「５段階」である感謝データを、前記通信回線網を介して、特定のユーザ（Ｂさん）の端末に送信できる。
【００７１】
前記送受信する感謝データは、例えば、前記（Ｂ１）入力工程において入力した感謝の理由を含んでもよい。含めて送受信してもよい。
【００７２】
（Ｂ４）感謝の理由の分類工程
前記（Ｂ４）感謝の理由の分類工程は、前記入力された感謝の理由を、記憶された前記感謝対象行動カテゴリーに分類する工程である。前記（Ｂ２）入力工程で、感謝の理由が入力されると、前記（Ａ８）送受信工程とは別に、感謝の理由が、前記感謝対象行動カテゴリーに分類される。
【００７３】
（Ｂ５）分類データの記憶工程
前記（Ｂ５）記憶工程は、前記分類された分類データを記憶する工程である。前記（Ｂ２）工程から（Ｂ４）工程は、入力される１つの感謝理由に対して、１セットとして行われ、複数の感謝理由についての分類データが、前記記憶工程において、記憶され、蓄積される。
【００７４】
（Ｂ６）分類データの統計工程
前記（Ｂ６）統計工程は、前記対象行動カテゴリーに分類された前記分類データから、前記感謝対象行動カテゴリーの統計データを算出する工程である。前記統計工程は、例えば、前記（Ｂ４）工程により蓄積された複数の分類データに基づいて行われる。前記統計データは、例えば、前述のように、ユーザ１名ごとのデータでもよいし、複数のユーザによって構成されるグループごとのデータでもよい。
【００７５】
（Ｂ７）統計データの記憶工程
前記（Ｂ７）記憶工程は、前記統計された統計データを記憶する工程である。
【００７６】
（Ｂ８）統計データの表示工程
前記（Ｂ８）表示工程は、前記算出した前記統計データを表示する工程である。表示する統計データは、特に制限されず、例えば、対象行動カテゴリーの使用頻度を表示してもよいし、前記感謝の理由を入力したユーザによる使用頻度が低い対象行動カテゴリーと、使用頻度が低いことを喚起するメッセージとを、紐づけて表示してもよい。具体的には、図１０に示すように、対象行動カテゴリーの種類と、それぞれの使用頻度、使用頻度が高い対象行動カテゴリーおよび使用頻度が低い対象行動カテゴリーを知らせるメッセージ、ならびに、使用頻度が低い対象行動カテゴリーの使用を喚起するメッセージ等を表示することができる。
【００７７】
本実施形態においては、一例として、前記（Ａ５）特定の感謝の種類の入力工程、前記（Ａ７）特定の感謝の程度の入力工程、および前記（Ｂ２）感謝の理由の入力工程を、この順序で示したが、これらの工程の順序は、何ら制限されない。
【００７８】
本実施形態の感謝伝達方法は、例えば、さらに、送信した感謝データを記憶する記憶工程を含んでもよい。
【００７９】
また、本実施形態の方法は、例えば、他のユーザから送信された、選択された特定の感謝の種類と選択されて特定の感謝の程度を示す感謝データを、受信する工程を有する。そして、前記感謝伝達方法は、さらに、受信した感謝データを記憶する記憶工程を含んでもよい。
【００８０】
（変形例１）
本実施形態において、表示部１２は、例えば、さらに、その端末から送信した感謝データの一部または全部の一覧、その端末が受信した感謝データの一部または全部の一覧を、それぞれ表示してもよい。図１１に示すように、例えば、感謝伝達システムである端末１０１の表示部１２において、送信一覧を選択した場合、その端末１０１から送信した感謝データの一覧を表示することができる。前記一覧において、表示する感謝データの内容は、例えば、送信先のユーザ、感謝の種類、感謝の程度、送信時間、感謝の理由等である。また、図示していないが、例えば、感謝伝達システムである端末１０１の表示部１２において、受信一覧を選択した場合、その端末１０１で受信した感謝データの一覧を表示することができる。前記一覧において、表示する感謝データの内容は、例えば、感謝の種類、感謝の程度、送信時間、感謝の理由等であり、送信元のユーザは、表示しても表示しなくてもよく、感謝の提示しやすさから、非匿名性として表示しなくてもよい。
【００８１】
（変形例２）
本実施形態において、前記統計データは、例えば、前述のような、あるユーザが送信した感謝データに関する統計データの他に、例えば、あるユーザが受信した感謝データに関する統計データを含んでもよい。つまり、前者は、感謝を送る側に対する統計データとなり、後者は、感謝を受け取る側に対する統計データとなる。
【００８２】
後者の場合、前記統計データは、例えば、以下が例示される。すなわち、前記統計データは、例えば、あるユーザの行動に対して入力された感謝の理由に関する統計データである。この場合、例えば、あるユーザが、感謝対象行動としてどのような行動（親切行動）を行っているかを意識でき、感謝対象行動としてどのような行動（親切行動）を意識できていないかを、前記統計データとして表すことができる。これによって、例えば、他人からどのような行動が喜ばれているのかを認識でき、また、他人に対する親切行動を喚起することもできる。
【００８３】
なお、複数のユーザにより構成されるグループにおいて、前記グループ全体が、前記グループ内の他のユーザからどのような行動に対して感謝を受信しているかは、前記グループ全体が、前記グループ内の他のユーザに対してどのような行動に対して感謝を送っているかと、同義といえる。したがって、前記グループ全体が受け取っている感謝の感謝対象行動は、前記グループが、前記グループ内の他のユーザに対して入力した感謝の理由に関する統計データの表示と同様にできる。
【００８４】
［実施形態２］
本実施形態において、感謝伝達システム１０は、例えば、さらに、第２の統計部を有してもよく、前記第２の統計部は、送信した感謝データと、受信した感謝データとに基づいて、統計データを算出する部である。この場合、表示部１２は、例えば、さらに、前記統計データを表示してもよい。
【００８５】
前記第２統計部による、送信した感謝データと受信した感謝データとに基づく統計データの種類は、特に制限されず、具体例としては、その端末から送信した感謝データの総量、その端末が受信した感謝データの総量、その端末が送信した感謝データ量と受信した感謝データ量との割合（比）、感謝データ量の経時的推移、送受信した感謝データにおける感謝の種類の割合および感謝の程度の割合等があげられる。また、各端末１０１が、前述のようにサーバと接続可能である場合、例えば、サーバで記憶された各端末１０１の総量も、統計データとして表示することができる。ここで、感謝データの量とは、特に制限されず、例えば、送受信した感謝データの件数（回数）と感謝の程度の積で表わすことができる。
【００８６】
前記統計データは、例えば、図１２に示すように、感謝伝達システムである端末１０１の表示部１２において、ネットワークを介して接続されている複数の端末の全体の感謝量、その端末により送受信した感謝量、送信した感謝量と受信した感謝量との割合（例えば、過去６か月）、感謝程度ごとの割合、感謝量の推移等を、数値、円グラフ、棒グラフ、折れ線グラフ等で示すことができる。
【００８７】
［実施形態３］
本実施形態のプログラムは、前記実施形態１の感謝伝達方法を、コンピュータ上で実行可能なプログラムである。本実施形態のプログラムをコンピュータにインストールし、実行することによって、本発明の感謝伝達システムと感謝伝達方法とを実現することができる。この場合、コンピュータのＣＰＵは、例えば、前記記憶部、前記表示部、前記入力部、および前記送受信部として機能し、処理を行う。本実施形態のプログラムは、例えば、前述のようなスマートフォン、タブレット等の各種端末にダウンロードさせるアプリケーションであることが好ましい。
【００８８】
前記コンピュータは、例えば、ＣＰＵ、メインメモリ、記憶装置、入力インターフェイス、表示コントローラ、ディスプレイ装置、データリーダ／ライタ、通信インターフェイスを備える。これらの各部は、バスを介して、互いにデータ通信可能に接続される。
【００８９】
前記ＣＰＵは、前記記憶装置に格納された、前記本実施形態のプログラム（コード）を前記メインメモリに展開し、これらを所定の順序で実行することにより、各種の演算を実施する。前記メインメモリは、一般的に、ＤＲＡＭ（Dynamic  Random  Access  Memory）等の揮発性の記憶部である。前記プログラムは、コンピュータ読み取り可能な記録媒体に格納された状態で提供できる。前記プログラムは、例えば、前記通信インターフェイスを介して接続されたインターネット上で流通するものでもよい。
【００９０】
前記記憶装置は、例えば、ハードディスクドライブ、フラッシュメモリ等の半導体記憶装置等があげられる。前記入力インターフェイスは、前記ＣＰＵと入力部との間のデータ伝送を仲介する。前記入力インターフェイスは、例えば、キーボードおよびマウス等があげられる。前記表示コントローラは、例えば、前記ディスプレイ装置と接続され、前記ディスプレイ装置での表示を制御する。
【００９１】
前記データリーダ／ライタは、前記ＣＰＵと記録媒体との間のデータ伝送を仲介し、前記記録媒体からの前記プログラムの読み出し、および前記コンピュータにおける処理結果の前記記録媒体への書き込みを実行する。前記通信インターフェイスは、前記ＣＰＵと、他のコンピュータとの間のデータ伝送を仲介する。
【００９２】
前記記録媒体は、例えば、コンピュータ読み取り可能な記録媒体であり、例えば、読み出し専用メモリ（ＲＯＭ）、ハードディスク（ＨＤ）、光ディスク、フロッピー（登録商標）ディスク（ＦＤ）等があげられる。
【００９３】
前記感謝伝達システムは、例えば、プログラムがインストールされたコンピュータでもよいし、各部に対応したハードウェアを用いて実現可能でもよい。また、前記感謝伝達システムは、例えば、一部がプログラムで実現され、残りの部分がハードウェアで実現されてもよい。
【００９４】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【産業上の利用可能性】
【００９５】
本発明によれば、ユーザが意識できていない感謝の対象となる行動を、ユーザに意識付けることができる。本発明のシステムを使用すると、例えば、ユーザが認識する感謝の対象となる行動の種類が増え、より様々な行動に対し感謝を伝えることができるようになる。このため、本発明は、例えば、会社等の組織で利用することにより、組織の構成員であるユーザが、その他の構成員に対して感謝を伝える機会が増え、それにより、お互いの信頼性を高め、個々と組織のモチベーションの向上、ひいては組織全体のパフォーマンスの向上に役立てることができる。
【符号の説明】
【００９６】
１０    感謝伝達システム
１１    記憶部
１２    表示部
１３    入力部
１４    送受信部
１５    分類部
１６    統計部
２０    通信回線網
１０１  端末
１１１  ユーザ情報
１１２  感謝の種類
１１４  送信感謝データ
１１５  受信感謝データ
１１６  感謝対象行動カテゴリー
１１７  入力データ
１１８  分類データ
１１９  統計データ
【図１】
2019053624.tif 000003
【図２】
2019053624.tif 000004
【図３】
2019053624.tif 000005
【図４】
2019053624.tif 000006
【図５】
2019053624.tif 000007
【図６】
2019053624.tif 000008
【図７】
2019053624.tif 000009
【図８】
2019053624.tif 000010
【図９】
2019053624.tif 000011
【図１０】
2019053624.tif 000012
【図１１】
2019053624.tif 000013
【図１２】
2019053624.tif 000014